Podtech/llm-jp-corpus-v4-ja_patent huggingface dataset:
(57)【要約】      （修正有）【課題】生活用品を収納する棚を、収納スペースや収納空間に合わせて、消費者が自由に増減したり、形状を変更できる便利棚を提供する。【解決手段】金属、木材・プラスチック・硬質の紙などの素材で作られた升型の複数の便利棚１を、接着テープや雄ネジ、雌ネジで連結して収納量を自由に増加できるようにする。例えば、１０冊の本を収納できるボックスで想定すれば、新たに２５冊の本が増えた場合、３個のボックスを用意すれば足りるわけで、部屋のスペースにあわせて横にでも縦にでも繋げて使用することが可能となる。【選択図】図１
0003186295.tif 000002
【実用新案登録請求の範囲】
【請求項１】
本棚等に使用する多目的便利棚で、金属、木材・プラスチック・硬質の紙などの素材で作られた升型の便利棚の４側面と底面に連結用の小穴を開け、二つの便利棚の小穴を雄ネジ、雌ネジで連結して収納量を自由に増やせるようにした便利棚。
【請求項２】
連結用の小穴、雄ネジ、雌ネジを使用せず、両面テープ等の粘着剤を使用して収納ボックスを増やせるようにした請求項目１記載の便利棚。
【考案の詳細な説明】
【産業上の利用分野】
【０００１】本考案は、本等の生活用品の様々なものを収納する棚を、それぞれの収納スペースや収納空間に合わせて、消費者が自由に増減したり、形状を変更できるように考案された便利棚である。
【背景技術】
【０００２】従来から広く利用されてきた本棚や多目的収納ボックスは、生産者があらかじめ大きさや形状を決めた既製品が販売されてきた。それは、生産の効率からも避けられないもので、個人が特別な大きさや形状を手にするには、特別注文しかなく高額な費用が必要とされた。そこで大方の消費者は、店頭に並ぶ既製品の中から、最も希望に近い大きさや形状の商品を選び、購入してきた。
【考案が解決しようとする課題】
【０００３】  例えば、１０冊分の本の収納ができれば十分なのに、販売されている本だなの収納スペースは、どれも１００冊以上である場合の課題は、増えていく本の数に併せて、徐々に本棚の収納スペースを増やせればいいが、市販されている既成の本棚は、収納スペースが決められている。つまり、蔵書の量に応じて収納スペースを増やせる本棚（便利棚）が欲しい。
【課題を解決するための手段】
【０００４】本考案は、この課題を解決するためになされた。例えば、１０冊の本を収納できる便利棚で想定すれば、新たに２５冊の本が増えた場合、３個の便利棚を用意すれば足りるわけで、この便利棚を、部屋のスペースにあわせて横にでも縦にでも繋げて使用することを可能にした。つまり、升型の収納ボックスを必要な分だけ継足して使用できるので、この便利棚は、蔵書の量にマッチしたペースで収納スペースを増やすことができるようになる。
【作用】
【０００５】  この、ふえ〜る便利棚は、必要に応じて、縦にも横にも収納ボックスを連結して使用できるので、部屋やスペースにあわせて、形状や、収納量を調整できる。
【実施例】
【０００６】  以下、本案の実施例（図１／Ｌ字型組立）について説明する。
部屋のスペースにあわせてＬ字型に連結した『ふえ〜る便利棚』である。縦の４ボックスは４側面の天底側面を、横の３ボックスは左右側面を連結して使用する。
【考案の効果】
【０００７】  したがって、従来は本棚にしろ便利棚にしろ、既成の規格や大きさに消費者があわせなければならなかったが、本考案によって、消費者は、自分に必要な収納分だけのスペースを順次増量できるようになり、形状も自由に組立てられる。
また、便利棚の底面を連結すれば、前面と後面の二方向からの利用もできる。便利棚は、カラー塗装したり彩色してインテリアグッズとしての楽しみも加えることができる。さらに、連結用の小穴を２列、３列に増やせば、より複雑な形状の棚を組立てることもできる。
【図１】
0003186295.tif 000003
【図２】
0003186295.tif 000004
【手続補正書】
【提出日】平成25年7月18日(2013.7.18)
【手続補正１】
【補正対象書類名】実用新案登録請求の範囲
【補正対象項目名】全文
【補正方法】変更
【補正の内容】
【実用新案登録請求の範囲】
【請求項１】
金属、木材・プラスチック・硬質の紙などの素材で作られた升型の複数の便利棚を、接着テープや雄ネジ、雌ネジで連結して収納量を自由に増加できるようにした便利棚。
【手続補正２】
【補正対象書類名】明細書
【補正対象項目名】全文
【補正方法】変更
【補正の内容】
【考案の詳細な説明】
【産業上の利用分野】
【０００１】本考案は、本等の生活用品の様々なものを収納する棚を、それぞれの収納スペースや収納空間に合わせて、消費者が自由に増減したり、形状を変更できるように考案された便利棚である。
【背景技術】
【０００２】従来から広く利用されてきた本棚や多目的収納ボックスは、生産者があらかじめ大きさや形状を決めた既製品が販売されてきた。それは、生産の効率からも避けられないもので、個人が特別な大きさや形状を手にするには、特別注文しかなく高額な費用が必要とされた。そこで大方の消費者は、店頭に並ぶ既製品の中から、最も希望に近い大きさや形状の商品を選び、購入してきた。
【考案が解決しようとする課題】
【０００３】  例えば、１０冊分の本の収納ができれば十分なのに、販売されている本だなの収納スペースは、どれも１００冊以上である場合の課題は、増えていく本の数に併せて、徐々に本棚の収納スペースを増やせればいいが、市販されている既成の本棚は、収納スペースが決められている。つまり、蔵書の量に応じて収納スペースを増やせる本棚（便利棚）が欲しい。
【課題を解決するための手段】
【０００４】本考案は、この課題を解決するためになされた。例えば、１０冊の本を収納できる便利棚で想定すれば、新たに２５冊の本が増えた場合、３個の便利棚を用意すれば足りるわけで、この便利棚を、部屋のスペースにあわせて横にでも縦にでも繋げて使用することを可能にした。つまり、升型の収納ボックスを必要な分だけ継足して使用できるので、この便利棚は、蔵書の量にマッチしたペースで収納スペースを増やすことができるようになる。
【作用】
【０００５】  この、便利棚は、必要に応じて、縦にも横にも収納ボックスを連結して使用できるので、部屋やスペースにあわせて、形状や、収納量を調整できる。
【実施例】
【０００６】  以下、本案の実施例（図１／Ｌ字型組立）について説明する。
部屋のスペースにあわせてＬ字型に連結した『便利棚』である。縦の４ボックスは４側面の天底側面を、横の３ボックスは左右側面を連結して使用する。
【考案の効果】
【０００７】  したがって、従来は本棚にしろ便利棚にしろ、既成の規格や大きさに消費者があわせなければならなかったが、本考案によって、消費者は、自分に必要な収納分だけのスペースを順次増量できるようになり、形状も自由に組立てられる。
また、便利棚の底面を連結すれば、前面と後面の二方向からの利用もできる。
便利棚は、カラー塗装したり彩色してインテリアグッズとしての楽しみも加えることができる。さらに、連結用の小穴を２列、３列に増やせば、より複雑な形状の棚を組立てることもできる。
【図面の簡単な説明】
【０００８】
【図１】便利棚のＬ字型組立て図  （１）は便利棚  （２）は便利棚を固定する雄ネジと雌ネジ
【図２】複数の便利棚を、階段型に利用する場合と、凹型に利用する場合の実例写真
(57)【要約】      （修正有）【課題】フラップを折り返した際に出来る太ももとの隙間を無くし、ナプキンをつけたショーツの外に経血が漏れるのを防止する、ハネをつけたフラップ付生理用ナプキンを提供する。【解決手段】フラップ２付き生理用ナプキン本体１にハネ３を設け、フラップ２をショーツ股部分に折り返した際、ハネ３が部分３ａを起点に３ｂが左右に広がり、ナプキンの外に経血が漏れるのを予防する。【選択図】図２
0003186296.tif 000002
【実用新案登録請求の範囲】
【請求項１】
フラップ付き生理用ナプキンのフラップを下着の股部分に折り返した際、ナプキン本体左右の外側に広がるハネをつけたところを特徴とするフラップ付き生理用ナプキン
【考案の詳細な説明】
【技術分野】
【０００１】  本考案はフラップにハネを付けた生理用ナプキンに関するものである。
【背景技術】
【０００２】  従来のナプキンには、それを取り付けたショーツのみの汚れを防ぐフラップを施したものがある。
【考案の概要】
【考案が解決しようとする課題】
【０００３】  従来のフラップ付きナプキンのフラップは、それを取り付けたショーツそのものの汚れは軽減するものの、経血が多い場合、フラップの外に漏れる場合があり、その場合ショーツの外にある下着や衣類、人体を汚すことになり、より困った状態に陥る。従って、フラップにもう１枚薄いハネを合わせつけることで、装着したときの安心感が得られるとともに、前述の問題を解決しようとするものである。
【課題を解決するための手段】
【０００４】  本考案は、フラップ付き生理用ナプキンを広げた際、左右に付いているフラップの付け根、すなわちナプキン本体の左右少し外側に、もう１枚薄手の吸収性のあるシートを本体に向かって山形につけることで、フラップを折り返した際本体の左右にシートがハネのように広がり、フラップを折り返したときに出来るナプキン本体と足の間のすき間を無くして、経血がフラップの外に漏れるという問題点を解決している。
【考案の効果】
【０００５】上述の様に、本考案のフラップにハネをつけた生理用ナプキンはナプキンをつけたショーツそのものの汚れを防ぐことは勿論、フラップをつけることでかえって開いてしまう太ももとナプキンのすき間を無くしてフラップの外への経血の漏れを防ぎ、しかもそのハネが薄手で山形であるため、各自の体形や股の幅に自由にフィットさせることができる。また、使用前の折りたたんだ状態では、従来のフラップ付き生理用ナプキンと見た目が変わらずほとんどかさばらない。ハネの幅は経血の量や使用する時間で、使用するナプキンに合わせて変えることができる。
【図面の簡単な説明】
【０００６】
【図１】本考案のハネをつけたフラップ付き生理用ナプキンの一実施例を示す正面図である。
【図２】本ナプキンのフラップを折り返した際の図である。
【図３】本ナプキンをフラップでショーツに折り返した際に左右フラップの中心を横断した切断面図である。
【図４】本ナプキンをショーツに付けガードルをはいて人体の股まで上げたときの切断面図である。
【考案の実施するための形態】
【０００７】  フラップ付き生理用ナプキンを広げた際、ナプキン本体とフラップとの境目から左右フラップ側に５ｍｍ、すなわちフラップを股部分に折り曲げたとき折り曲げた線より約５ｍｍフラップ側に来る場所に、底辺がフラップと同じ幅で、ナプキン本体すなわち内側に向かって山なりにカーブを描く形（一番山の高い部分の幅が約３０ｍｍ〜５０ｍｍ）のハネを、フラップを折り曲げたとき肌に当たる面に吸水性、反対側の面に撥水性のある薄手の伸縮性のある素材（フラップと同じ素材）で山形の底辺に当たる部分だけをフラップに接着する。フラップをショーツの股部分に折り曲げて装着した際、ナプキン本体、すなわち股部分より左右に山形にハネが現れ、ナプキンの外に経血が漏れるのを防ぐ。
【実施例】
【０００８】  以下、添付図面に従って一実施例を説明する。１は生理用ナプキン本体、２はナプキンに施されたフラップ、３はフラップを折り曲げた際フラップの外に経血がもれるのを防ぐためにつけたハネで、３ａの部分のみが接着しているため、フラップ２をショーツ４の股部分で折り曲げると３ｂが２の外側に広がる。その後ショーツをはくとショーツの外からはいたガードル５や太もも６にそって３ｂがフィットしナプキンより経血が外側に漏れた際に下着や衣類、太ももを汚すことを防ぐ。
【符号の説明】
【０００９】  １  生理用ナプキン本体
２  フラップ
３  フラップに設けたハネ
４  ショーツ
５  ガードル
６  太もも
【図１】
0003186296.tif 000003
【図２】
0003186296.tif 000004
【図３】
0003186296.tif 000005
【図４】
0003186296.tif 000006
【手続補正書】
【提出日】平成25年7月17日(2013.7.17)
【手続補正１】
【補正対象書類名】実用新案登録請求の範囲
【補正対象項目名】全文
【補正方法】変更
【補正の内容】
【実用新案登録請求の範囲】
【請求項１】
：フラップ付き生理用ナプキンの左右についているフラップを下着にとりつける際に折る線から、左右約５ｍｍ外側に、もう１枚、フラップ同様の素材のシートを、ナプキン表側の中心に向かって左右から山なりに、吸収性のある素材を下にして山形の底辺のみを接着させることで、フラップを折り返した際に左右外側に山形にハネが広がって、足とナプキン本体のすき間を無くし、経血がナプキンやフラップの外に漏れるのを防ぐことを特徴とするハネのついたフラップ付き生理用ナプキン
(57)【要約】      （修正有）【課題】安全と容易さと衛生面を追求した食器を提供する。【解決手段】碗部の上端外面より水平方向へ箸の長さに適合した長さの持ち手２があり、その先端から直角下方へ支持柱５があり、それらは一体形成されたものである。また、持ち手２の全長上側には持ち手の中心線と同方向に箸二本が置ける幅の凹形に形成された箸置き溝３があり、持ち手２の中心線の延長線が碗部の中心点で直角に交差する線上の碗部外面下部に持ち手より見て左右に一ヶ所ずつの支持足６があり支持柱５とで三点支持となる。さらに、碗部の開口部と持ち手の箸置き部を一体で覆う形成された上蓋があることを特徴とする。【選択図】図１
0003186297.tif 000002
【実用新案登録請求の範囲】
【請求項１】
容器の上端外面より水平方向へ延びる持ち手があり、その先端から垂直方向へ支持柱がある。それらは一体形成されたものである。
【請求項２】
持ち手の全長上側には持ち手と同方向に凹形に形成された箸置き溝がある。
【請求項３】
容器の底部外面には持ち手の中心線と容器の中心を通る線とが直角に交差する線上左右に支持足があり支持柱とで三点支持となる。
【請求項４】
容器部と持ち手部全体を覆う形成された上蓋がある。
【考案の詳細な説明】
【技術分野】
【０００１】  本考案は持ち手に箸置き溝と支持柱を設けた食器に関するものである。
【背景技術】
【０００２】  従来、持ち手に箸置き溝と支持柱を設けた食器は無く既存する食器類を使用していた。【０００３】  既存する食器類それ等は重く形状も表面も滑らかで指より離脱、滑落しやすいという欠点がある。
【特許文献１】
【非特許文献１】
【考案の開示】
【考案が解決しようとする課題】
【０００４】  本考案は前述のような欠点を払拭するため安全で容易な持ち手に箸置き溝と支持柱を設けた食器を提供することを目的としている。【０００５】  本考案は前述の目的と新規な特長を生み添付図面と照合して説明する。
なお図面は解説の為であって本考案の記述的範囲を限定するものではない。【０００６】  既述の目的を達成するため本考案は請求項１から請求項４までの構成要件とで持ち手に箸置き溝と支持柱を設けた食器を構成している。
【考案の効果】
【０００７】  本考案で効果が得られるものを次に列挙する。
（１）請求項１により持ち手を持っての食器の取り寄せが安全で容易になる。
（２）請求項１の支持柱と請求項３の二本の支持足との三点支持により食材の研ぎ作業が容易となり食器の自立も安定する。
（３）請求項２の持ち手上側に凹形溝を設けたことにより箸を置くことができる。
（４）箸置き溝に箸の先端を容器側に向けて置き上蓋をすることで衛生が保たれる。
【考案を実施するための形態】
【０００８】  容器内へ納豆、生卵等の食材を入れ机上に置いた状態で持ち手を握り机上面へ押しつける様に軽く力を加えることで支持柱と二本の支持足との三点支持で安定し箸などによる食材の研ぎ作業が容易となる研ぎ後は食材の付着した箸の先端を容器側に向けて箸置き溝に置き上蓋をすれば衛生的であり持ち手を上蓋ごと一挙に握れば複数人時の手元への取り寄せが安全かつ容易となる。
【実施例】
【０００９】  従来この様な持ち手に箸置き溝と支持柱を設けた食器は無く本考案には可動部、分解部もない。添付図面にて図１は食器、図４は上蓋である。
二点とも耐久性のある食器材として適宜素材にて一体形成されたものである。
【図面の簡単な説明】
【００１０】
【図１】  食器の正面図
【図２】  食器の側面図
【図３】  食器の平面図
【図４】  上蓋の正面図
【図５】  上蓋の平面図
【符号の説明】
【００１１】１  容器
２  持ち手
３  箸置き溝
４  吊り下げ部
５  支持柱
６  支持足
７  上蓋
【図１】
0003186297.tif 000003
【図２】
0003186297.tif 000004
【図３】
0003186297.tif 000005
【図４】
0003186297.tif 000006
【図５】
0003186297.tif 000007
【手続補正書】
【提出日】平成25年4月23日(2013.4.23)
【手続補正１】
【補正対象書類名】図面
【補正対象項目名】図３
【補正方法】変更
【補正の内容】
【図３】
0003186297.tif 000008
【手続補正書】
【提出日】平成25年7月22日(2013.7.22)
【手続補正１】
【補正対象書類名】実用新案登録請求の範囲
【補正対象項目名】全文
【補正方法】変更
【補正の内容】
【実用新案登録請求の範囲】
【請求項１】
碗部の上端外面より水平方向へ箸の長さに適合した長さの持ち手があり、その先端から直角下方へ支持柱がある、それらは一体形成されたものであることを特徴とする食器。
【請求項２】
持ち手の全長上側には持ち手の中心線と同方向に箸二本が置ける幅の凹形に形成された箸置き溝があることを特徴とする請求項１記載の食器。
【請求項３】
持ち手の中心線の延長線が碗部の中心点で直角に交差する線上の碗部外面下部に持ち手より見て左右に一ヶ所ずつの支持足があり支持柱とで三点支持となることを特徴とする請求項１記載の食器。
【請求項４】
碗部の開口部と持ち手の箸置き部を一体で覆う形成された上蓋があることを特徴とする請求項１記載の食器。
【手続補正２】
【補正対象書類名】明細書
【補正対象項目名】０００７
【補正方法】変更
【補正の内容】
【０００７】  本考案で効果が得られるものを次に列挙する。
（１）請求項１により持ち手を持っての食器の取り寄せが安全で容易になる。
（２）請求項１の支持柱と請求項３の二本の支持足との三点支持により食材の研ぎ作業が容易となり食器の自立も安定する。
（３）請求項２の持ち手上側に凹形溝を設けたことにより箸を置くことができる。
（４）箸置き溝に箸の先端を碗部側に向けて置き上蓋をすることで衛生が保たれる。
【手続補正３】
【補正対象書類名】明細書
【補正対象項目名】０００８
【補正方法】変更
【補正の内容】
【０００８】碗部内へ納豆、生卵等の食材を入れ机上に置いた状態で持ち手を握り机上面へ押しつける様に軽く力を加えることで支持柱と二本の支持足との三点支持で安定し箸などによる食材の研ぎ作業が容易となる研ぎ後は食材の付着した箸の先端を碗部側に向けて箸置き溝に置き上蓋をすれば衛生的であり持ち手を上蓋ごと一挙に握れば複数人時の手元への取り寄せが安全かつ容易となる。
【手続補正４】
【補正対象書類名】明細書
【補正対象項目名】００１１
【補正方法】変更
【補正の内容】
【００１１】１  碗部
２  持ち手
３  箸置き溝
４  吊り下げ部
５  支持柱
６  支持足
７  上蓋
(57)【要約】      （修正有）【課題】すり減った石鹸を最後まで使い尽くすのに役に立つ石鹸箱を提供する。【解決手段】石鹸収容部に上から蓋をする普通の石鹸箱１であって、新しい石鹸８の上に配置されたすり減った石鹸６と、蓋３の間に中押さえ蓋５を設け、中押さえの上に、片端側の一点で結合されている重し２を設置し、中押さえ蓋５の長手辺の両縁における中央部一帯に新しい石鹸８の両脇を挟みこむように数ミリ深さのツバ状にストッパー７を設け更に、中押さえ蓋５の下面（重しの反対側）のほぼ全面に数ミリ程の浅い深さで複数の波状凸凹を設けたことを特徴とする使い減らし石鹸を使い尽くすことができるエコ石鹸箱。【選択図】図１
0003186298.tif 000002
【実用新案登録請求の範囲】
【請求項１】
石鹸収容部に上から蓋をする普通の石鹸箱であって、すり減った石鹸と新しい石鹸と蓋の間に中押え蓋を設け、中押さえ蓋の上に、片端側のー点で結合されている重しを設置し、中押さえ蓋の長手辺の両縁における中央部−帯に新しい石鹸の両脇を挟みこむように数ミリ深さのツバ状にストッパーを設け更に、中押さえ蓋の下面（重しの反対側）のほぼ全面に数ミリ程の浅い深さで複数の波状凸凹を設けたことを特徴とする使い減り石鹸を使い尽くすことができるエコ石鹸箱。
【考案の詳細な説明】
【技術分野】
【０００１】本考案は、すり減った石鹸を最後まで使い尽くすのに役に立つ石鹸箱に関するものである。
【背景技術】
【０００２】従来、薄くなった石鹸は、網袋などに何個かを一緒にして使っていた。また新しい石鹸と合体させて使うやり方として、お互いに水をつけてくっつける方法があるが、使用中に、間に水が入りこんだ途端に分離してしまって役に立たない。
【考案の概用】
【考案が解決しょうとする課題】
【０００３】薄くなった石鹸は使うのには不便である。捨てるにはもったいない。網袋などに石鹸くずを入れて使うやり方もあるが、石鹸箱に収納している間に、新しい石鹸の一部にしっかり合体できればもっとよい。
本考案は、以上の問題点を解決するためになされたものである。
【課題を解決するための手段】
【０００４】本考案は、石鹸収容部に上から蓋をする普通の石鹸箱を想定し、すり減った石鹸と新しい石鹸と蓋の間に中押さえ蓋の上に、片端側のー点で結合されている重し台を設置し、中押さえ蓋の長手辺の両縁における中央部−帯に新しい石鹸の両脇を挟みこむように数ミリ深さのツバ状にストッパーを設け更に、中押さえ蓋の下面（重しの反対側）のほぼ全面に数ミリ程の浅い深さで複数の波状凸凹を設ける。
【考案の効果】
【０００５】すり減った小さくなった石鹸片が、次に使うまでの時間中に、新しい使い始めの石鹸の上に重しの力でピッタリ密着結合され、ほぼー体化されるので、次に使う時に自然に使い尽くされていく。中押さえ蓋下面のツバ状にストッパーを設け更に、凸凹状によって中押さえ蓋を外すとき、くっついてこないので、新しい石鹸に密着している石鹸片を引きはがすことがない。
【図面の簡単な説明】
【０００６】
【図１】  本考案の、構造を示す断面図
【図２】  本考案の使用状況を示す構造断面図
【考案を実施するための形態】
【０００７】本考案は、石鹸箱（１）の中に重し（２）に中押さえ蓋（５）とストッパー（７）や複数の波状凸凹を設け、使い減り石鹸片（６）と新しい石鹸（８）を重ねて非使用のー定の時間経過の中で自然にー体的に合体させ、すり減って小さくなった石鹸片をほぼ最後まで使い尽くすことができる。新しい石鹸（８）の上から使い減り石鹸片がずり落ちないように閉じ込められ、上から重し（２）で押さえられて合体が容易にできる。重し（２）の材質は陶器や石やステンレスのように錆びない素材を用いる。石鹸箱（１）は大きさや形は自由にでき、角形や丸形や卵形などや、今市販されている物も使用できる、重し（２）と中押さえ蓋（５）とストッパー（７）なども、形や大きさも石鹸箱に合わせて作り、重し（２）と中押さえ蓋（５）とは結合部（９）のー点で結合されておけば十分である。
【符号の説明】
【０００８】  （１）  石鹸箱
（２）  重し
（３）  蓋
（４）  底
（５）  中押さえ蓋
（６）  薄くなった石鹸
（７）  滑り止めストッパー
（８）  新しい石鹸
（９）  結合部
【図１】
0003186298.tif 000003
【図２】
0003186298.tif 000004
【手続補正書】
【提出日】平成25年7月11日(2013.7.11)
【手続補正１】
【補正対象書類名】実用新案登録請求の範囲
【補正対象項目名】全文
【補正方法】変更
【補正の内容】
【実用新案登録請求の範囲】
【請求項１】
石鹸収容部に上から蓋をする普通の石鹸箱であって、新しい石鹸の上に配置されたすり減った石鹸と、蓋の間に中押さえ蓋を設け、中押さえの上に、片端側の一点で結合されている重しを設置し、中押さえ蓋の長手辺の両縁における中央部一帯に新しい石鹸の両脇を挟みこむように数ミリ深さのツバ状にストッパーを設け更に、中押さえ蓋の下面（重しの反対側）のほぼ全面に数ミリ程の浅い深さで複数の波状凸凹を設けたことを特徴とする使い減らし石鹸を使い尽くすことができるエコ石鹸箱。
(57)【要約】      （修正有）【課題】用土の粒の大きさによって、網目の大きさの異なるフルイをその都度交換する必要のないフルイを提供する。【解決手段】粗目、中目、細目といった網目の大きさの異なるフルイを３層にまとめて一つのフルイ４にする。用土は粒の大きさ別に各層の網上に留まり、網目の異なるフルイをいちいち交換する必要がない。桟５は、差入れ口６からはめこむ網目の異なる各網付き引き出しを支えるためのものであり、左右に合計６本設置されている。これにより用土を受けた重量で引き出しが容易にたわんだり変形したりするのを防ぐ。素材は全てがサビ防止のためにもステンレスで形成されることが望ましい。【選択図】図２
0003186229.tif 000002
【実用新案登録請求の範囲】
【請求項１】
大きさの異なる用土をフルイや網を交換することなく、一度に選別できるよう網を３層にセットしてひとつのフルイにした道具。
【考案の詳細な説明】
【技術分野】
【０００１】  本考案は網交換を不要とするフルイに関する。
【背景技術】
【０００２】  従来のフルイでは用土の粒の大きさによって網目の大きさの異なるフルイを交換していた。（図１）
【考案の概要】
【考案が解決しようとする課題】
【０００３】  しかし、これでは大・中・小と粒の大きさの異なる用土をフルイにかける時、粗目、中目、細目といった網目の大きさの異なるものに１回１回交換して使用しなければならないために、時間も手間もかかり極めて不便である。
【課題を解決するための手段】
【０００４】  そこで、網を目の大きさ順に３層にまとめてひとつのフルイにしたものを考案した。（図２）この網交換不要フルイにより、用土は粒の大きさ別に各層の網上に留まるため、網の異なるフルイをいちいち交換して使用する必要がないのである。
【考案の効果】
【０００５】  よって、引き出し可能な網目の異なる網３種を３層に分けて収納できるので、大・中・小さまざまな粒の大きさの用土を一度にフルイにかけられ、粒の大きさの異なる用土はそれぞれの大きさ別に各大きさの網の層に留まるので、あとは各網を引き出しから引っ張り出せば、網目の大きさ別にフルイを交換したりすることなく容易に目的を達成できるのである。
【考案を実施するための最良の形態】
【０００６】  本考案に係る桟５は、図２に示すように、図３の網付き引き出し７を支えるためのものであり、左右に合計６本設置されている。これにより用土を受けた重量で引き出しが容易にたわんだり変形したりするのを防ぐようにしている。素材は網付き引き出し７を含めて４〜８の部分の全てがサビ防止のためにもステンレスで形成されることが望ましい。
【図面の簡単な説明】
【０００７】
【図１】従来のフルイの例である粗目、中目、細目の図。
【図２】本考案の俯瞰図。
【図３】本考案の網部分の３枚を示した図。
【０００８】    １  粗目のフルイ
２  中目のフルイ
３  細目のフルイ
４  本考案のフルイ
５  網受けの桟
６  網の差入れ口
７  網付き引き出し
８  引き出し用取っ手
【図１】
0003186229.tif 000003
【図２】
0003186229.tif 000004
【図３】
0003186229.tif 000005
(57)【要約】      （修正有）【課題】本体容器とふたが分離していることによる扱いにくさを解消し、殊にふたの保管や紛失の問題が生じない電子レンジ用野菜調理器具を提供する。【解決手段】シリコンゴム製などの耐熱性と可塑性を有する上部が開いたふたのない容器１に、野菜を入れたのち容器を折り曲げて開口部を閉じ固定することができるように、底部に近い４側面の外周にひも状のバンド２を設けた。バンドの両端は、結節点３で固定した。【選択図】図１
0003186226.tif 000002
【実用新案登録請求の範囲】
【請求項１】
シリコンゴム製などの耐熱性と可塑性を有する上部が開いた容器と、この容器に入れた野菜を包み込むように折り曲げて開口部を閉じ固定するための前記容器の底部に近い４側面の外周に両端を固定されて水平方向に取り付けられたひも状のバンドと、を有することを特徴とする野菜調理器具。
【考案の詳細な説明】
【技術分野】
【０００１】本考案は、電子レンジで野菜を蒸す調理器具の形状に関するものである。
【背景技術】
【０００２】従来の電子レンジで野菜を蒸す調理器具の形状は、シリコンゴム製などの耐熱性と可塑性を有する本体容器とふたとで構成される器具である。【０００３】しかし、本体容器とふたとに分かれているため扱いにくく、ふたの保管場所や紛失の危惧という問題があった。
【考案の概要】
【考案が解決しようとする課題】
【０００４】解決しようとする問題点は、本体容器とふたとに分かれているための扱いにくさ、殊にふたの保管に関わる問題や紛失の危惧という点である。
【課題を解決するための手段】
【０００５】本考案は、ふたのない本体容器の開口部を閉じて固定できるよう、シリコンゴム製などの耐熱性と可塑性を有する上部が開いた本体容器の底部に近い４側面の外周に、ひも状のバンドが両端を固定されて水平方向に付いていることを最も主要な特徴とする。
【考案の効果】
【０００６】本考案の野菜調理器具は、本体容器に野菜を入れた後、容器を折り曲げて側面のバンドで固定することにより、開口部を閉じて電子レンジで野菜を蒸すことが可能であり、分離したふたがないため扱いやすく、ふたの保管や紛失という問題が生じないという利点がある。
【図面の簡単な説明】
【０００７】
【図１】  野菜調理器具の一実施形態を示す斜視図である。
【図２】  野菜調理器具の一実施形態を示す平面図である。
【図３】  野菜調理器具の実施方法を示した説明図である。（実施例１）
【図４】  野菜調理器具の実施方法を示した説明図である。（実施例２）
【図５】  野菜調理器具の実施方法を示した説明図である。（実施例３）
【図６】  野菜調理器具の実施方法を示した説明図である。（実施例４）
【図７】  野菜調理器具の実施方法を示した説明図である。（実施例５）
【図８】  野菜調理器具の実施方法を示した説明図である。（実施例６）
【考案を実施するための形態】
【００８】電子レンジ用野菜調理器具が本体容器とふたに分かれていることによる扱いにくさの問題解決を、分離したふたをなくすことにより、優れたデザイン性をもちながら、電子レンジ用野菜調理器具の機能を損なわずに実現した。
任意
【実施例】
【０００９】図１は、本考案器具の１実施例の斜視図であって、図２は本考案品を底面から見た平面図である。本体１はシリコンゴム製などの耐熱性と可塑性を有する素材でできた容器であって、上部が開いた容器の底部に近い４側面の外周に、ひも状のバンドが両端を固定されて水平方向に付いている【００１０】図３の実施例１は、本体容器１に野菜を入れた状態を示している。【００１１】図４の実施例２は、本体容器１を押し曲げ、野菜を包み込むようにして、片側のひも状のバンド２で固定した状態を示している。【００１２】図５の実施例３は、本体容器１をさらに押し曲げて、開口部を閉じ、もう片方のひも状のバンド２で固定した状態を示している。【００１３】図６の実施例４は、本体容器１に比較的長い野菜を入れた状態を示している。【００１４】図７の実施例５は、本体容器１を押し曲げ、野菜を包み込むようにして、片側のひも状のバンド２で固定するが、野菜を折らないように、短い方の側面部分を折りこんで開口部を閉じた状態を示している。【００１５】図８の実施例６は、本体容器１をさらに押し曲げて、開口部を閉じ、もう片方のひも状のバンド２で固定した状態を示している。
【符号の説明】
【００１６】１  野菜調理器具本体容器
２  ひも状のバンド
３  バンドの結節点
【図１】
0003186226.tif 000003
【図２】
0003186226.tif 000004
【図３】
0003186226.tif 000005
【図４】
0003186226.tif 000006
【図５】
0003186226.tif 000007
【図６】
0003186226.tif 000008
【図７】
0003186226.tif 000009
【図８】
0003186226.tif 000010
(57)【要約】      （修正有）【課題】他パーツとの接合点を持たない積み木でも、作った構造体を持ち上げて遊ぶことが出来、また、接合したパーツ同士を回転させることも可能な木製ロボット玩具を提供する。【解決手段】複数の木製パーツ１からなり、各パーツに磁石を取り付ける穴を設け、その穴の中に磁石３を埋め込み、各パーツ同士を磁石によって接合する。【選択図】図４
0003186228.tif 000002
【実用新案登録請求の範囲】
【請求項１】
複数の木製パーツからなる木製ロボット玩具に於いて、各パーツに磁石を取り付ける穴を設け、その穴の中に磁石を埋め込むことによって、各パーツ同士を磁石によって接合することを特徴とする木製ロボット玩具。
【考案の詳細な説明】
【技術分野】
【０００１】  本考案は、磁石接合式の木製ロボット玩具に関する。
【背景技術】
【０００２】  従来、木製ロボット玩具には、他パーツとの接合点を持たない積み木や、他パーツとの接合点を木製、金属製又はプラスティック製のダボで実現したものが知られている。
【考案の概要】
【考案が解決しようとする課題】
【０００３】  然しながら、他パーツとの接合点を持たない積み木では、作った構造体を持ち上げて遊ぶことが出来ず、また、他パーツとの接合点を木製、金属製又はプラスティック製のダボで実現したものでは、接合点の摩擦抵抗が大きく接合したパーツ同士を回転させることが困難であると共に、使用に応じてパーツ本体の接合点や接合に利用するダボに損耗が発生し、継続利用には向かないなどの不利な点がある。
【課題を解決するための手段】
【０００４】  本考案は、木製ロボット玩具に於いて、複数の木製パーツからなり、各パーツに磁石を取り付ける穴を設け、その穴の中に磁石を埋め込み、各パーツ同士を磁石によって接合することによって上記課題を解決する。
【考案の効果】
【０００５】  本考案は、各パーツの接合点を磁石とすることで、従来型の接合点を持たない積み木に比べ作った構造体を持ち上げて遊ぶことができ、また、従来型の接合点を木製、金属製又はプラスティック製のダボで実現した玩具に比べパーツ着脱を繰り返してもパーツ本体の接合点や接合部品である磁石に損耗が発生することがなく、パーツ同士を容易に回転させて遊ぶことが出来るという利点がある。
【図面の簡単な説明】
【０００６】
【図１】  本考案に係る磁石接合式の木製ロボット玩具について、ロボットの頭部を模したパーツに、磁石を取り付ける穴をあけた外観図である。
【図２】  図１に接合部品である磁石を取り付けた外観図である。
【図３】  本考案に係る磁石接合式の木製ロボット玩具について、ロボットを模した玩具の正面図である。
【図４】  図３について、各パーツ内部の磁石取り付け状況を示した透視図である。
【図５】  本考案に係る磁石接合式の木製ロボット玩具について、ロボットを模した玩具の側面図である。
【図６】  図５について、各パーツ内部の磁石取り付け状況を示した透視図である。
【考案を実施するための形態】
【０００７】  本考案に係る磁石接合式の木製ロボット玩具は、図２に示されるように、木製ロボット玩具のパーツ本体１に磁石３を取り付けた形態で使用される。
【実施例１】
【０００８】  本考案に係る磁石接合式の木製ロボット玩具は、図４及び図６に示される木製ロボット玩具のように、頭部、胴部、腕部、腰部、脚部及びその他装飾部等をそれぞれ一つの単位とする、木製玩具のパーツ本体１に磁石３を取り付けた形態を持つ複数のパーツから構成される。木製玩具のパーツ本体１に様々な形状のものを用意することで、各パーツを取り換えて様々な形状のロボットに作り替えることが可能となる。
【符号の説明】
【０００９】１  木製玩具のパーツ本体
２  磁石取り付け用の穴
３  磁石
【図１】
0003186228.tif 000003
【図２】
0003186228.tif 000004
【図３】
0003186228.tif 000005
【図４】
0003186228.tif 000006
【図５】
0003186228.tif 000007
【図６】
0003186228.tif 000008
(57)【要約】      （修正有）【課題】梱包用の資材ではあるが、女性や若者が可愛いと感じ、暗いイメージをあか抜けたものに刷新できる形状の気泡緩術材を提供する。【解決手段】気泡緩衝材の気泡の形状は、直径１０ｍｍ程度、高さ５ｍｍ程度の円柱形状であるが、この気泡を小動物の足跡の形にする。例えば、猫、犬などのペットの足跡の形にした場合、気泡に加工することで、肉球のような形状と感触が得られる。そのことによって、若者、女性などが家族、友人などへのプレゼントに使用し、需要の拡大が予測される。また、気泡を潰して楽しむ場合は、ペットの肉球を触るような、癒される感触を得る事が可能になる。【選択図】図３
0003186224.tif 000002
【実用新案登録請求の範囲】
【請求項１】
気泡緩衝材の気泡の部分を小動物の足跡の形に加工した緩衝材である。
【考案の詳細な説明】
【技術分野】
【０００１】  本考案は、輸送時に物品を包み、それを保護する気泡緩衝材に関する。
【背景技術】
【０００２】    気泡緩衝材は、直径１０ｍｍ程度、高さ５ｍｍ程度の気泡をシート上に多数装着しており、傷ついたり、破損したりしないように外周を包んだり、物品が、がたつかないようにスペースに詰め込んだりする。シート上の気泡は、輸送中の衝撃を吸収し、物品を保護する。【０００３】    気泡の大きさを変えたり、丸いドット状の形状のみならず、ハート形の気泡、そのほかの形状の気泡も存在する。【０００４】    気泡緩衝材は、本来の緩衝材として使用されるだけではなく、気泡を一つ一つ指で潰して、プチっという音と感触を楽しみ、ストレス解消、暇つぶしなどに利用されている。
【先行技術文献】
【特許文献】
【０００５】
【特許文献１】  特許公開  ２０１０−５８８１２エアー緩衝材の製造方法と製造装置
【特許文献２】  意匠登録第１３８６３４５号  包装用緩衝材
【考案の概要】
【考案が解決しようとする課題】
【０００６】    気泡緩衝材は品物をキズ、破損から守ることでは優れた製品であるが、梱包用資材としての役割上、地味な脇役という暗いイメージがある。【０００７】  緩衝材として、使用された後、一つ一つの気泡を指で潰して、音や感触を楽しむ人は非常に多い。しかしながら、単純な作業で変化に乏しく、陳腐化しがちであるという課題がある。
【課題を解決するための手段】
【０００８】  気泡緩衝材の形状、多くは直径１０ｍｍ程度、高さ５ｍｍ程度のドット状のものでなく、例えば、ペット、特に猫、子犬などの小動物の足跡の形状を表現する。そのことで、梱包用の資材ではあるが、女性や若者が可愛いと感じ、暗いイメージをあか抜けたものに刷新できる。
【考案の効果】
【０００９】    ペットの足跡の気泡を有することで、女性、若者などの気泡緩衝材に対する意識が明るく、かわいいものと変化し、友人や家族へのプレゼントなどに利用され、需要が増加すると期待できる。【００１０】  また、気泡を一つ一つ指で潰しして、プチっという音と感触を楽しむ人にとっては、猫、子犬などのペットの足跡が現れているので、まるで本物のペットの肉球を触っているような感触を得ることになり、癒しを感じる事ができる。
【図面の簡単な説明】
【００１１】
【図１】  従来の気泡緩衝材を上から見た図である。
【図２】  従来の気泡緩衝材の断面図である。
【図３】  本考案小動物足跡形気泡緩衝材を上から見た図である。
【図４】  気泡緩衝材の気泡を一つ一つ潰している状況の斜視図である。
【考案を実施するための形態】
【００１２】  気泡緩衝材のサイズは一般的に１．２ｍ巾、約４０ｍロール長で仕上げられている。本考案の小動物足形気泡緩衝材についても同様のサイズで仕上げ、気泡については、小動物の足跡形は、２５ｍｍ角、乃至３０ｍｍ角の大きさで加工するのが、小動物の愛くるしさを表現するにはもっとも適していると考える。
【実施例】
【００１３】  通信販売など個別に梱包する販売形態が増加している。商品のキズ、破損の防止のうえで、気泡緩衝材は有効である。例えば友人、家族へのプレゼント商品に小動物足形気泡緩衝材を使用して、梱包されたものを受け取った場合、愛くるしさに思わず笑顔になってしまう。【００１４】  小動物足形気泡緩衝材は、見た目は小動物の肉球であり、手触りも柔らかく、気持がよい。これまでのように気泡を一つ一つ潰す事も出来るが、潰さなくてっも触って楽しむことができる。
【産業上の利用可能性】
【００１５】  本考案小動物足形気泡緩衝材は、工業的に量産することが可能であるため、産業上の利用可能性を有する。
【符号の説明】
【００１６】  １          ベースシート
２          丸ドット形気泡
３          気泡シート
４          猫の足跡形状の気泡
５          従来の気泡緩衝材本体
６          右手親指
７          右手人さし指
８          左手親指
９          左手人さし指
【図１】
0003186224.tif 000003
【図２】
0003186224.tif 000004
【図３】
0003186224.tif 000005
【図４】
0003186224.tif 000006
(57)【要約】      （修正有）【課題】運動の継続性を阻害することなく迅速かつ簡易に被服の着用形状を変えて体感温度を調節することにより不快感を解消し、体感温度を調節できる被服を提供する。【解決手段】ティーシャツ、スポーツシャツの様なスポーツ着に適した被服における前身頃に、左右肩口２よりそれぞれほぼ垂直下方に裾辺りまで、面ファスナー１又は面ファスナー様の機能を備えた連続的一本の、もしくは非連続的に一定間隔をおいて同一線上に並ぶ生地帯を設けた。【選択図】図１
0003186223.tif 000002
【実用新案登録請求の範囲】
【請求項１】
ティーシャツ、スポーツシャツの様なスポーツ着に適した被服における前身頃に、左右肩口よりそれぞれほぼ垂直下方に裾辺りまで、約１〜３ｃｍ幅の面ファスナー又は面ファスナー様の機能を備えた連続的一本の、もしくは非連続的に一定間隔をおいて同一線上に並ぶ生地帯を設けたことを特徴とする体感温度を調節できる被服。
【考案の詳細な説明】
【技術分野】
【０００１】  本考案は被服、特に運動時に着用する体感温度を調節できる被服に関するものである。
【背景技術】
【０００２】  従来、スポーツ着に適したティーシャツ様の被服を着用して気温、湿度が高い環境で運動する場合、運動による体感温度の上昇に伴う不快感を解消するための手段としては、着衣を脱ぐ、あるいは、しばし休んで服の裾を胸まで捲り上げてお腹や背中を直接外気にさらすなどするのが一般的である。着衣の前身頃全面を網地の通気開口部にして、網地面をすっぽり覆う当布をファスナーで着脱するという先行技術も知られている（特許文献１参照）。
【先行技術文献】
【０００３】
【特許文献】
【特許文献１】特許公開２００３−２１３５０７号公開
【考案の概要】
【考案が解決しようとする課題】
【０００４】  暑苦しくなって着衣を脱いだり着替えたりする場合は、着替えの動作および脱いだ被服を収納することが必要となる。裾を捲り上げた場合は、そのまま手で押さえておかねばならない。前身頃全面を網状の通気開口部にする場合は、ファスナーを全部外して当布をすっかり分離し、適切に収納しなければならない。いずれの場合もそれまで継続されていた運動は一旦中断せざるをえない。運動の継続性を阻害することなく、迅速かつ簡易に体感温度を調節し、不快感を解消することは困難であった。
本考案は以上の問題点を解決するものである。
【課題を解決するための手段】
【０００５】  ティーシャツ、スポーツシャツの様なスポーツ着に適した被服における前身頃に、左右肩口よりそれぞれほぼ垂直下方に裾辺りまで、約１〜３ｃｍ幅の面ファスナー又は面ファスナー様の機能を備えた連続的一本の、もしくは非連続的に一定間隔をおいて同一線上に並ぶ生地帯を設ける。
以上を特徴とする体感温度を調節できる被服である。
【考案の効果】
【０００６】  本考案の被服の構造によれば、運動時、体感温度を下げたい場合には、被服の前面裾辺を垂直上方向へ好みの高さまで捲り上げ、前面上部の任意の位置に留め固定するという簡易な動作により着用者の腹部から胸部までを直接外気に露出する状態を保ち、体感温度の調節を容易に行うことができる。調節の必要がなくなったら、留め固定した部分を外し、裾部を自然に垂らせば、簡単に元の状態に戻すことができる。迅速かつ簡易に体感温度を調節することが可能となり、商品の付加価値を高めるとともにより多くの人が運動する機運を高め健康の増進に資することができる。
【図面の簡単な説明】
【０００７】
【図１】本考案の正面図
【図２】本考案の使用時に、裾を捲り上げて留め固定し、腹部を外気にさらした状態を示す正面図
【考案を実施するための形態】
【０００８】  以下、本考案の実施の形態について説明する。
被服の前面左右の肩口（２）よりそれぞれ垂直下方向に裾辺りまでに、１ｃｍから３ｃｍ幅程度の面ファスナー（１）の機能を備えた帯状の連続的一本の、もしくは非連続的に一定間隔をおいて同一線上に並ぶ生地帯を設ける。
本考案は以上のような構造である。
本考案を使用するときは、運動時において体感温度を下げたい場合に、被服の前面裾辺を垂直上方向へ好みの高さまで捲り上げ、任意の位置に留め固定し、前面腹部から胸部までの高さにおいて任意の部位を外気に露出する状態を保ち、体感温度の調節を行う。調節の必要がなくなったら、面ファスナー留めした部分を外し、裾部を垂らせば簡単に元の状態に戻すことができる。
【符号の説明】
【０００９】１  面ファスナー
２  肩口
【図１】
0003186223.tif 000003
【図２】
0003186223.tif 000004
(57)【要約】      （修正有）【課題】賃貸住宅の空室の入室契約を促進するために空室に仮配置する廉価、堅牢でしかも分解、組立てが容易な家具類を模した室内レイアウト装置を新規に提供する。【解決手段】賃貸住宅の空室に板紙製のソファ、テーブル、チェア、冷蔵庫、ベッド、テレビ、テレビ台等の家具類・大型電気製品類を模した室内レイアウト装置を分解、移動、再組立て可能に凹凸嵌合１２ａ，ｂにて組立てて仮配置して課題を解決する。【選択図】図２
0003186225.tif 000002
【実用新案登録請求の範囲】
【請求項１】
賃貸住宅の空室入居者案内用として該空室内に仮配置する板紙製のソファ，テーブル，チェア，ベッド，冷蔵庫，テレビ等の家具類を分解，移動，再組立てを可能に凹凸嵌合部の嵌合により組立て形成するようにしたことを特徴とする空室入居者案内用の室内レイアウト装置。
【請求項２】
凹凸嵌合部は家具類の目視されない裏側などに設ける請求項１に記載の空室入居者案内用の室内レイアウト装置。
【請求項３】
板紙は家具に応じた彩色をする請求項１に記載の空室入居者案内用の室内レイアウト装置。
【考案の詳細な説明】
【技術分野】
【０００１】
本考案は賃貸住宅の空室を入居希望者に案内するための室内レイアウト装置、詳しくは家具類，大型家電品を模した物品を分解・移動・再組立て可能において空室内に組立て配置するようにした板紙製の室内レイアウト装置に関するものである。
【背景技術】
【０００２】
賃貸住宅の空室の入居希望者案内用として従来、空室内に現物の家具類を置くことが試みられてきたが、費用がかさむことで、模擬家具類として特許第４３９７８３１号公報が提案されている。該公報は大型の家具，電気製品の模擬品を段ボール薄板部材間を面ファスナの係合により連結形成して空室内に配置することを記載している。
【先行技術文献】
【特許文献】
【０００３】
【特許文献１】特許第４３９７８３１号公報
【考案の概要】
【考案が解決しようとする課題】
【０００４】
しかしながら、該公報は部材間を面ファスナの係合により連結する要領によって部材間に段差，隙間が生じ、また面ファスナの面積が小さいと保持力が不足して型崩れし、逆に面ファスナの面積を大きくすると分解に難儀し、分解時に部材が破損するおそれが生ずるという課題がある。
【課題を解決するための手段】
【０００５】
本考案は、賃貸住宅の空室の入居希望者の案内用として該空室内に仮配置する板紙製のソファ，テーブル，チェア，ベッドなどの家具類，冷蔵庫，テレビ等の家電品を分解，移動，再組立て可能に凹凸嵌合部の嵌合により組立て形成して、空室内に仮配置するようにして前記した課題を解決したのである。
【考案の効果】
【０００６】
本考案は、賃貸住宅の空室に家具類，大型家電品のレイアウトを配置したので、入居希望者に空室の良さを実感させ得ることで賃貸契約を促進することができるという効果を生ずる。
【０００７】
家具類はすべて板紙製により費用がかからず、しかも凹凸嵌合により堅牢で、分解，再組立てが容易であるという効果を生ずる。
【０００８】
板紙製によって家具類は軽いため、他の空室内への移動が容易であるという効果を生ずる。
【図面の簡単な説明】
【０００９】
【図１】本考案レイアウト装置のソファの１例を示す斜視図
【図２】凹凸嵌合部の１例を示すもので、（ａ）は組立て前、（ｂ）は組立てた状態を示す部分拡大図
【図３】据付けの流し台，ガスレンジ，換気扇，食器棚のみがあるキッチンの１例を示す斜視図
【図４】同室内にテーブルとチェア、冷蔵庫のレイアウト装置を仮配置した状態を示す斜視図
【図５】ベッドの１例を示す斜視図
【図６】テレビとテレビ台の１例を示す斜視図
【考案を実施するための形態】
【００１０】
本考案は、賃貸住宅の空室入居者案内用として該空室内に仮配置する板紙製のソファ，テーブル，チェア，ベッド，冷蔵庫，テレビ等の家具類を分解，移動，再組立てを可能に凹凸嵌合部の嵌合により組立て形成するようにしたのである。
【実施例１】
【００１１】
図１乃至図２は本考案の第１実施例であって、板紙製のソファ１１は座面部材１１ａと背もたれ部材１１ｂ、肘掛け部材１１ｃからなり、各部材の外視されない部分に突片と受孔、突部と受部を含む凹凸嵌合部１２ａ，１２ｂを設けて嵌合組立てする。
【００１２】
図２に示すように凹凸嵌合部１２ａ，１２ｂの嵌合により各部材間は何人も簡単に組立てることができ、しかも組立てに際して糊、接着剤、テープ類などの接着材料を一切使用しないので、分解する際もその作業が容易で部材を損傷することが生ぜず、従って繰返し再組立て使用が可能となる。
【００１３】
このようにして面ファスナの係合によって生じていた部材間の段差，隙間の生ずること、また形崩れ，部材の損傷などが全く生じないものとなる。
【００１４】
凹凸嵌合部１２ａ，１２ｂは外視されない内側，裏側に設けるのである。
【００１５】
また板紙は家具に応じた彩色をして、実物に近いものにする。
【００１６】
テーブル１３，チェア１４，冷蔵庫１５，ベッド１６，テレビ１７，テレビ台１８もそれぞれの部材間を凹凸嵌合部１２ａ，１２ｂの嵌合により組立て形成するのである。
【００１７】
このようにして組立てたレイアウト装置を賃貸住宅の空室に仮配置することで、空室の賃貸契約の成約率が向上したという統計も出ている。
【産業上の利用可能性】
【００１８】
本考案のレイアウト装置は、廉価、堅牢にして分解，組立てが容易なことで空室入居者案内用として広く利用されるものである。
【符号の説明】
【００１９】
１１は板紙製品のソファ
１１ａは座面部材
１１ｂは背もたれ部材
１１ｃは肘掛け部材
１２ａ，１２ｂは凹凸嵌合部
１３はテーブル
１４はチェア
１５は冷蔵庫
１６はベッド
１７はテレビ
１８はテレビ台
【図１】
0003186225.tif 000003
【図２】
0003186225.tif 000004
【図３】
0003186225.tif 000005
【図４】
0003186225.tif 000006
【図５】
0003186225.tif 000007
【図６】
0003186225.tif 000008
【手続補正書】
【提出日】平成25年7月24日(2013.7.24)
【手続補正１】
【補正対象書類名】実用新案登録請求の範囲
【補正対象項目名】全文
【補正方法】変更
【補正の内容】
【実用新案登録請求の範囲】
【請求項１】
賃貸住宅の空室入居者案内用として該空室内に仮配置する板紙製のソファ，テーブル，チェア，ベッド，冷蔵庫，テレビ等の家具類を分解，移動，再組立てを可能に凹凸嵌合部の嵌合により組立て形成するようにしたことを特徴とする空室入居者案内用の室内レイアウト装置。
【請求項２】
凹凸嵌合部は家具類の目視されない裏側に設ける請求項１に記載の空室入居者案内用の室内レイアウト装置。
【請求項３】
板紙は家具に応じた彩色をする請求項１に記載の空室入居者案内用の室内レイアウト装置。